(57)【要約】      （修正有）【課題】操作性が良好な振り出し容器を提供する。【解決手段】振り出し容器Ｃは、下端縁１ｂより上端縁１ｃに近い側の側面に複数の孔１Ａ〜１Ｃを有し、内部に粉末又は顆粒状の収容物を収納する収納部１Ｄを備えた凹状の容器１と、側面に単一の側面孔２Ａを有すると共に、容器１の開口部１ａを覆い、容器１に対して摺動自在な凹状の外蓋２と、複数の孔１Ａ〜１Ｃは、外蓋２の側面の裏面に対向すると共に、複数の孔１Ａ〜１Ｃは、第１の孔１Ａ、第２の孔１Ｂ、第３の孔１Ｃであり、第１の孔１Ａの中心、第２の孔１Ｂの中心、第３の孔１Ｃの中心は、平面視、容器１の中心から１２０°間隔で位置し、外蓋２を容器１に対して摺動し、側面孔２Ａと第１の孔１Ａを連通、又は、側面孔２Ａと第２の孔１Ｂを連通、又は、側面孔２Ａと第３の孔１Ｃを連通させて、容器１内の収容物１Ｄを小出しにすることができる。【選択図】図４
0003177918.tif 000002
【実用新案登録請求の範囲】
【請求項１】
下端縁より上端縁に近い側の側面に複数の孔を有し、内部に粉末又は顆粒状の収容物を収納する収納部を備えた凹状の容器と、
側面に単一の側面孔を有すると共に、前記容器の開口部を覆い、前記容器に対して摺動自在な凹状の外蓋と、
前記複数の孔は、前記外蓋の側面の裏面に対向すると共に、前記複数の孔は、第１の孔、第２の孔、第３の孔であり、前記第１の孔の中心、前記第２の孔の中心、前記第３の孔の中心は、平面視、前記容器の中心から１２０°間隔で位置し、
前記外蓋を前記容器に対して摺動し、前記側面孔と前記第１の孔を連通、又は、前記側面孔と前記第２の孔を連通、又は、前記側面孔と前記第３の孔を連通させて、前記容器内の前記収容物を小出しにすることができる
ことを特徴とする振り出し容器。
【請求項２】
側面孔に対応する外蓋の頂部表面の部位に設けられ、前記側面孔の位置を知らせる第一の目印と、
第１の孔に対応して、前記第１の孔の下方である容器の側面の部位に設けられ、前記第１の孔の位置を知らせる容器側第一の目印と、
第２の孔に対応して、前記第２の孔の下方である容器の側面の部位に設けられ、前記第２の孔の位置を知らせる容器側第二の目印と、
第３の孔に対応して、前記第３の孔の下方である容器の側面の部位に設けられ、前記第３の孔の位置を知らせる容器側第三の目印と、
を設けていることを特徴とする請求項１記載の振り出し容器。
【請求項３】
粉末又は顆粒状の収容物は、粉末茶である
ことを特徴とする請求項１記載の振り出し容器。
【考案の詳細な説明】
【技術分野】
【０００１】
本考案は、振り出し容器に係り、特に、操作性が良好な振り出し容器に関する。
【背景技術】
【０００２】
従来、粉末状部材（例えば、粉末茶）を少量排出することができる振り出し容器がある。この振り出し容器は、粉末状部材を収納する容器と、この容器の開口部を覆う外蓋とを有し、容器側に設けた単一の孔と外蓋側に設けた単一の孔とを合致させて、粉末状部材を少量排出するようにしている。
【考案の概要】
【考案が解決しようとする課題】
【０００３】
ところが、上記振り出し容器にあっては、容器側と外蓋側とで、それぞれ孔が単一であるため、例えば、不一致の孔が近接している場合、不一致の孔が近接しているにも関わらず、近接から遠ざかる方向に、外蓋を逆方向に回転させた場合、外蓋を約１回転させねばならず、しかも、摺動範囲が多くなるため、外蓋の摺動によって容器の部位に損傷をも与え、容器の外観をも損なうという問題点があった。
【０００４】
本考案は、上記の問題点を除去するようにした振り出し容器を提供することを目的とする。
【課題を解決するための手段】
【０００５】
請求項１記載の振り出し容器は、下端縁より上端縁に近い側の側面に複数の孔を有し、内部に粉末又は顆粒状の収容物を収納する収納部を備えた凹状の容器と、側面に単一の側面孔を有すると共に、前記容器の開口部を覆い、前記容器に対して摺動自在な凹状の外蓋と、前記複数の孔は、前記外蓋の側面の裏面に対向すると共に、前記複数の孔は、第１の孔、第２の孔、第３の孔であり、前記第１の孔の中心、前記第２の孔の中心、前記第３の孔の中心は、平面視、前記容器の中心から１２０°間隔で位置し、前記外蓋を前記容器に対して摺動し、前記側面孔と前記第１の孔を連通、又は、前記側面孔と前記第２の孔を連通、又は、前記側面孔と前記第３の孔を連通させて、前記容器内の前記収容物を小出しにすることができるものである。
【０００６】
また、請求項２記載の振り出し容器は、請求項１記載の振り出し容器において、側面孔に対応する外蓋の頂部表面の部位に設けられ、前記側面孔の位置を知らせる第一の目印と、第１の孔に対応して、前記第１の孔の下方である容器の側面の部位に設けられ、前記第１の孔の位置を知らせる容器側第一の目印と、第２の孔に対応して、前記第２の孔の下方である容器の側面の部位に設けられ、前記第２の孔の位置を知らせる容器側第二の目印と、第３の孔に対応して、前記第３の孔の下方である容器の側面の部位に設けられ、前記第３の孔の位置を知らせる容器側第三の目印と、を設けているものである。
【０００７】
また、請求項３記載の振り出し容器は、請求項１記載の振り出し容器において、粉末又は顆粒状の収容物は、粉末茶である。
【考案の効果】
【０００８】
請求項１記載の振り出し容器によれば、側面孔と第１の孔、又は、側面孔と第２の孔、又は、側面孔と第３の孔の位置合わせをする際、少なくとも、外蓋を右、又は、左に最大、約１２０°回転すれば、位置あわせを行うことができ、操作性が良好であると共に、摺動範囲が少ない分、外蓋の摺動による容器の部位の損傷も少なく、容器の外観をも保つことができる。
【０００９】
また、請求項２記載の振り出し容器によれば、上述した請求項１記載の考案の効果に加え、振り出し容器を手に取ってみる際、振り出し容器を斜め上方より見るため、外蓋の頂部表面に設けられた第一の目印により外蓋の側面孔が、容器に設けられた容器側第一の目印、容器側第二の目印、容器側第三の目印の内、何れか一つを視認でき、側面孔と第１の孔、又は、側面孔と第２の孔、又は、側面孔と第３の孔の位置合わせを容易にすることができる。
【図面の簡単な説明】
【００１０】
【図１】図１は、本考案の一実施例の振り出し容器の概略的正面図である。
【図２】図２は、図１の振り出し容器の概略的平面図である。
【図３】図３は、図２の３−３線による概略的断面図である。
【図４】図４は、図１の振り出し容器の概略的分解斜視図である。
【図５】図５は、図１の５−５線による概略的断面図である。
【図６】図６は、図１の振り出し容器の概略的斜視図である。
【図７】図７は、図３の振り出し容器の位置合わせ前の概略的断面図である。
【図８】図８は、図７の振り出し容器の位置合わせ後の概略的断面図である。
【考案を実施するための形態】
【００１１】
本考案の一実施例の振り出し容器を図面を参照して説明する。
図１に示すＣは振り出し容器で、振り出し容器Ｃは、内部に収納した収納物１Ｄを必要に応じて、振り出すようにしたもので、凹状の容器１と、この容器１の開口部１ａを覆う凹状の外蓋２とを有する。
また、外蓋２は、容器１に対して摺動自在であって、側面に単一の側面孔２Ａを有すると共に、容器１の開口部１ａを覆うようになっている。なお、図２、図４、及び図６に示す２Ｘは、側面孔２Ａに対応する外蓋２の頂部表面２Ｂの部位に設けられ、側面孔２Ａの位置を知らせる第一の目印である。
【００１２】
容器１は、図４に示すように、下端縁１ｂより上端縁１ｃに近い側の側面に複数の孔１Ａ、１Ｂ、１Ｃを有し、内部に粉末又は顆粒状の収容物１Ｅを収納する収納部１Ｄを備えている。
収容物１Ｅは、例えば、粉末茶である。複数の孔１Ａ〜１Ｃは、外蓋２の側面の裏面に対向すると共に、複数の孔１Ａ〜１Ｃは、第１の孔１Ａ、第２の孔１Ｂ、第３の孔１Ｃであり、第１の孔１Ａの中心、第２の孔１Ｂの中心、第３の孔１Ｃの中心は、図５に示すように、平面視、容器Ｃの中心から１２０°間隔で位置している。
また、図４に示す１Ｘは、第１の孔１Ａに対応して、第１の孔１Ａの下方である容器Ｃの側面の部位に設けられ、第１の孔１Ａの位置を知らせる容器側第一の目印である。
また、図４に示す１Ｙは、第２の孔１Ｂに対応して、第２の孔１Ｂの下方である容器Ｃの側面の部位に設けられ、第２の孔１Ｂの位置を知らせる容器側第二の目印である。
また、図４に示す１Ｚは、第３の孔１Ｃに対応して、第３の孔１Ｃの下方である容器Ｃの側面の部位に設けられ、第３の孔１Ｃの位置を知らせる容器側第三の目印である。
【００１３】
また、図４に示す３は中蓋で、３ａは取っ手であり、４は底蓋で、底蓋４は、容器１の底を覆い、滑り止めの機能を有する。
【００１４】
従って、上述した振り出し容器Ｃによれば、外蓋２を容器１に対して摺動し、側面孔２Ａと第１の孔１Ａを連通、又は、側面孔２Ａと第２の孔１Ｂを連通、又は、側面孔２Ａと第３の孔１Ｃを連通させて、容器１内の収容物１Ｅ（例えば、粉末茶）を小出しにすることができる。
なお、側面孔２Ａと第１の孔１Ａ、又は、側面孔２Ａと第２の孔１Ｂ、又は、側面孔２Ａと第３の孔１Ｃの位置合わせをする際、少なくとも、外蓋２を右、又は、左に、１２０°の範囲内で回転すれば、位置あわせを行うことができ、例えば、図７の状態から位置あわせを行う場合、容器１に対して外蓋２を時計回りに角度ａ回せば、側面孔２Ａと第２の孔１Ｂを容易に連通させることができ、操作性が良好であると共に、摺動範囲が少ない分、外蓋２の摺動による容器１の部位の損傷も少なく、容器１の外観を保つことができる。
しかも、振り出し容器Ｃを手に取ってみる際、振り出し容器Ｃを斜め上方より見るため（図４及び図６参照）、外蓋２の頂部表面２Ｂに設けられた第一の目印２Ｘにより外蓋２の側面孔２Ａが、容器１に設けられた容器側第一の目印１Ｘ、容器側第二の目印１Ｙ、容器側第三の目印１Ｚの内、何れか一つを視認でき、側面孔２Ａと第１の孔１Ａ、又は、側面孔２Ａと第２の孔１Ｂ、又は、側面孔２Ａと第３の孔１Ｃの位置合わせを容易にすることができる。
【符号の説明】
【００１５】
Ｃ      振り出し容器
１      容器
１Ａ    第１の孔
１Ｂ    第２の孔
１Ｃ    第３の孔
１Ｄ    収容物
１ａ    開口部
１ｂ    下端縁
１ｃ    上端縁
２      外蓋
【図１】
0003177918.tif 000003
【図２】
0003177918.tif 000004
【図３】
0003177918.tif 000005
【図４】
0003177918.tif 000006
【図５】
0003177918.tif 000007
【図６】
0003177918.tif 000008
【図７】
0003177918.tif 000009
【図８】
0003177918.tif 000010